(57)【特許請求の範囲】
【請求項１】
光ファイバ同士をコネクタ接続するための光アダプタが複数内蔵され、光ファイバの接続時には、その接続部と前記光ファイバの余長部分とを収納可能とした光接続箱であって、
前記光アダプタを固定するアダプタホルダに、光接続箱内部に固着する固着部を設け、当該固着部の両側縁をコネクタ接続方向で先細りするテーパ状に形成しており、
複数の前記アダプタホルダを、前記固着部のテーパ状に形成した側縁同士を当接又は側縁同士が平行となる状態で近接させて並べることにより円弧状に並設するとともに、
アダプタホルダ列により形成される円弧の内側に光ファイバの融着部を収納するためのスリーブホルダを設置して、前記円弧の内側のスペースを、一方の光ファイバの余長部分を収納するための第１余長収納スペースとするとともに、前記円弧の外側に光ファイバを固定可能なファイバクランプ部材を設置して、前記円弧の外側のスペースを、他方の光ファイバの余長部分を収納するための第２余長収納スペースとしたことを特徴とする光接続箱。
【発明の詳細な説明】
【技術分野】
【０００１】
本発明は、光ファイバ同士をコネクタ接続した接続部、及び光ファイバの余長部分等を収納可能な光接続箱に関するものである。
【背景技術】
【０００２】
光接続箱内で光ファイバ同士を接続するにあたって、光ファイバの先端に設けられたコネクタ部を接続可能な複数の光アダプタを光接続箱内に設置する際、従来では、光アダプタを直線的に並設していた（たとえば、特許文献１）。そして、当該光アダプタの列を中心線として、たとえばその左側に一方の光ファイバの融着部を含む余長部分を収納するための第１余長収納スペースを設ける一方、右側に他方の光ファイバの余長部分を収納するための第２余長収納スペースを設けていた。
【０００３】
【特許文献１】特開２００２−２４３９４９号公報
【発明の開示】
【発明が解決しようとする課題】
【０００４】
しかしながら、上記従来の構成では、複数の光アダプタを直線的に並設しているため、アダプタの個数の割に光接続箱の大きさが大きくなってしまい、光接続箱を設置可能なスペースが限定されてしまう、設置作業等が煩わしい、コスト高になる等といった問題を抱えていた。
【０００５】
そこで、本発明は、上記問題に鑑みなされたものであって、光接続箱内のスペースを有効利用可能で箱本体の小型化を図ることができる光接続箱を提供しようとするものである。
【課題を解決するための手段】
【０００６】
上記目的を達成するために、本発明のうち請求項１に記載の発明は、光ファイバ同士をコネクタ接続するための光アダプタが複数内蔵され、光ファイバの接続時には、その接続部と前記光ファイバの余長部分とを収納可能とした光接続箱であって、前記光アダプタを固定するアダプタホルダに、光接続箱内部に固着する固着部を設け、当該固着部の両側縁をコネクタ接続方向で先細りするテーパ状に形成しており、複数の前記アダプタホルダを、前記固着部のテーパ状に形成した側縁同士を当接又は側縁同士が平行となる状態で近接させて並べることにより円弧状に並設するとともに、アダプタホルダ列により形成される円弧の内側に光ファイバの融着部を収納するためのスリーブホルダを設置して、前記円弧の内側のスペースを、一方の光ファイバの余長部分を収納するための第１余長収納スペースとするとともに、前記円弧の外側に光ファイバを固定可能なファイバクランプ部材を設置して、前記円弧の外側のスペースを、他方の光ファイバの余長部分を収納するための第２余長収納スペースとしたことを特徴とする。
【発明の効果】
【０００７】
本発明によれば、光アダプタが固定されたアダプタホルダを円弧状に配列しているため、光アダプタ（アダプタホルダ）を直線状に配列する従来のものと比較して、同じスペース内に多くの光アダプタを並設することができる。したがって、同じ個数の光アダプタが設置された光接続箱で比較すると、光接続箱の小型化を図ることができ、光接続箱の設置スペースの確保が容易となり使い勝手が良い、設置作業等が容易となる、低コスト化を図ることができる等といった効果を奏することができる。また、アダプタホルダを円弧状に配列することで、直線状に配列したものと比較すると、円弧内側の光アダプタ同士の間隔を同一とした際に円弧外側の間隔が広くなるため、該光アダプタへのコネクタの着脱作業が極めて容易となり、作業性の向上を図ることができる。さらに、アダプタホルダの固着部の両側縁をコネクタ接続方向で先細りするテーパ状に形成しているため、複数のアダプタホルダを設置するにあたり、固着部のテーパ状に形成された側縁同士を当接又は側縁同士が平行となる状態で近接させて並べるだけで自然と円弧状に並設することができ、使い勝手が非常に良い。
また、アダプタホルダ列により形成される円弧の内側に光ファイバの融着部を収納するためのスリーブホルダを設置して、円弧の内側のスペースを、一方の光ファイバの余長部分を収納するための第１余長収納スペースとするとともに、円弧の外側に光ファイバを固定可能なファイバクランプ部材を設置して、円弧の外側のスペースを、他方の光ファイバの余長部分を収納するための第２余長収納スペースとしている。したがって、光接続箱内部のスペースを有効に活用することができ、一層の小型化を図ることができる。
【発明を実施するための最良の形態】
【０００８】
以下、本発明の一実施形態となる光接続箱について、図面をもとに説明する。
【０００９】
図１は、光接続箱１を示した説明図であり、（ａ）は正面図、（ｂ）は底面図、（ｃ）は右側面図となっている。また、図２は、光接続箱１の内部を示した説明図であり、図３は、光接続箱１の内部の一部拡大説明図である。
光接続箱１は、その内部において光ファイバ６ａ、８ａ同士をコネクタ接続可能とするものであって、前面に開口を有する箱状の箱本体２と、該箱本体２に蝶着され、箱本体２の前面開口を開閉する前扉３とからなる。箱本体２内部の下方には、光接続箱１内へ引き入れた光ケーブル６、６・・を固定するためのケーブルクランプ部材７、７が設置されている。また、箱本体２内部の右側方の上下には、光ケーブル６内の光ファイバ６ａと接続される光ファイバ８ａ、８ａ・・を固定するためのコードクランプ部材９、９が設置されている。さらに、箱本体２内部の略中央部には、複数のアダプタホルダ２１、２１・・が円弧状に並設されている。尚、１０、１１は、光ファイバ６ａ、８ａの先端に取り付けられたコネクタである。
【００１０】
ここで、本発明の要部となるアダプタホルダ２１について、図４をもとに説明する。図４は、アダプタホルダ２１を示した説明図であって、（ａ）は正面図、（ｂ）は底面図、（ｃ）は右側面図である。
アダプタホルダ２１は、Ｌ字状に折り曲げられた金属製の板状部材であって、箱本体２の背面等に固着される固着部２２と、コネクタ１０、１１を接続可能な光アダプタ２３（尚、光アダプタ２３については図３に示す）が固定されるアダプタ取付部２４とを備えてなる。固着部２２は、両側縁がコネクタ接続方向（上下方向）において先端へ向かって幅狭となるテーパ状に形成されており、両側縁間の中心角度θは略４．４°とされている。また、固着部２２の先端には、固着ネジ（図示せず）を挿通可能な丸孔２５、２５が穿設されている。一方、アダプタ取付部２４は、前後方向へ長い長方形状に成形され、その略中央部に光アダプタ２３を固定するための取付孔２６が開設されており、光アダプタ２３を、その上下からコネクタ１０、１１を接続可能な姿勢で設置可能としている。尚、２７は、光アダプタ２３を固定する際にネジを挿通するための小孔である。
【００１１】
そして、上記アダプタホルダ２１は、箱本体２内部において、固着部２２の側縁が隣りの固着部２２側縁と平行となるように複数個並べて設置されており、結果として複数のアダプタホルダ２１、２１・・が同一円周上に位置するように設置されている。
【００１２】
さらに、アダプタホルダ２１、２１・・によって形成された円弧内側のスペースには、光ファイバ６ａの融着接続部を収納するためのスリーブホルダ１２、１２、及び引き回された光ファイバ６ａ、６ａ・・の余長部分を固定するための複数のファイバクランプ部材１３、１３・・が設置されている。つまり、光接続箱１では、円弧内側のスペースを第１余長収納スペースとしている。
一方、アダプタホルダ２１、２１・・によって形成された円弧外側のスペースにも複数のファイバクランプ部材１３、１３・・が設置されており、光ファイバ８ａ、８ａ・・の余長部分を固定可能としている。すなわち、円弧外側のスペースを第２余長収納スペースとしている。
【００１３】
次に、以上のような光接続箱１における光ファイバ６ａ、８ａの接続について説明する。
まず、光ケーブル６、６・・を光接続箱１の下方から箱本体２内へ引き込み、当該光ケーブル６、６・・をケーブルクランプ部材７、７によって固定する。該光ケーブル６からは十分な長さの光ファイバ６ａを引き出しておき、コネクタ１０側の光ファイバと融着する等して接続した後、コネクタ１０を光アダプタ２３に接続する。そして、融着部分はスリーブホルダ１２に収納し、余長部分は第１余長収納スペース内で引き回す等してファイバクランプ部材１３、１３・・により固定する。
一方、接続対象となる光ファイバ８ａ、８ａ・・については、その先端に取り付けられているコネクタ１１を光アダプタ２３に接続する。そして、十分な余長部分を第２余長収納スペースで引き回す等してファイバクランプ部材１３、１３・・に固定した後、箱本体２の上部及び下部から外方へ引き出す。
【００１４】
上述したような光接続箱１によれば、箱本体２内部において、光アダプタ２３が固定されたアダプタホルダ２１、２１・・を円弧状に配列しているため、光アダプタ（アダプタホルダ）を直線状に配列する従来のものと比較して、同じスペース内に多くの光アダプタ２３、２３・・を設置することができる上、円弧内側及び円弧外側に十分な余長収納スペースを確保することができる。したがって、同じ個数の光アダプタが設置された光接続箱で比較すると、箱本体２の小型化を図ることができ、光接続箱の設置スペースの確保が容易となり使い勝手が良い、設置作業等が容易となる、低コスト化を図ることができる等といった効果を奏することができる。
また、アダプタホルダ２１を円弧状に配列することで、直線状に配列したものに比べて、円弧内側の光アダプタ２３、２３同士の間隔を同一とした際に円弧外側の光アダプタ２３、２３同士の間隔が広くなるため、該光アダプタ２３へのコネクタ１１の着脱作業が極めて容易となり、作業性の向上を図ることができる。
【００１５】
さらに、アダプタホルダ２１の固着部２２を、その両側縁がコネクタ接続方向において先端へ向けて幅狭となるテーパ状に形成しているため、複数のアダプタホルダ２１、２１・・を並設するにあたり、固着部２２の側縁が隣りのアダプタホルダ２１の固着部２２側縁と平行となるように固着するだけで自然と円弧状に並設することができ、使い勝手が非常に良い。
加えて、アダプタホルダ２１、２１・・の並設により形成された円弧内側のスペースに、スリーブホルダ１２、及びファイバクランプ部材１３、１３・・を設置して、円弧内側のスペースを第１余長収納スペースとするとともに、円弧外側にスペースにもファイバクランプ部材１３、１３・・を設置して、円弧外側のスペースを第２余長スペースとしている。したがって、箱本体２内部のスペースを有効に活用することができ、箱本体２の一層の小型化を図ることができる。
【００１６】
なお、本発明の光接続箱に係る構成は、上記実施形態に記載の態様に何ら限定されるものではなく、箱本体の構成は勿論、アダプタホルダの設置態様や形状等に係る構成、及び各種クランプ部材の設置位置等に係る構成を、本発明の趣旨を逸脱しない範囲で適宜変更することができる。
【００１７】
たとえば、上記実施形態では、アダプタホルダの固着部における両側縁間の中心角度を４．４°としているが、２°〜７°の範囲であれば好適に利用することができる。尚、７°を超えると、円弧内側において隣接するコネクタ同士が干渉するといった問題があるし、２°未満であると、直線状に並設するものと比較して得られるメリットが少ないといった問題がある。
また、上記実施形態に記載のＬ字状に折り曲げた金属製板状部材のアダプタホルダではなく、ブロック状のアダプタホルダであっても何ら問題はない。
さらに、上記実施形態では、アダプタホルダを並べる際、図２や図３等に示す如く、アダプタホルダ同士の間に若干の隙間を空けている（すなわち、近接設置している）が、固着部のテーパ状部同士を当接させた状態で並べるように構成することも当然可能である。さらにまた、アダプタホルダを並べる個数も図２に示す数に何ら限定されることはない。
加えて、スリーブホルダの設置数や設置位置、及び各余長収納スペース内におけるファイバクランプ部材の設置数や設置位置についても、図２に示すような形態に限定されることはない。
【図面の簡単な説明】
【００１８】
【図１】光接続箱を示した説明図であり、（ａ）は正面図、（ｂ）は底面図、（ｃ）は右側面図となっている。
【図２】光接続箱の内部を示した説明図である。
【図３】光接続箱の内部の一部拡大説明図である。
【図４】アダプタホルダを示した説明図であって、（ａ）は正面図、（ｂ）は底面図、（ｃ）は右側面図である。
【符号の説明】
【００１９】
１・・光接続箱、２・・箱本体、３・・前扉、６・・光ケーブル、６ａ、８ａ・・光ファイバ、７・・ケーブルクランプ部材、９・・コードクランプ部材、１０、１１・・コネクタ、１２・・スリーブホルダ、１３・・ファイバクランプ部材、２１・・アダプタホルダ、２２・・固着部、２３・・光アダプタ、２４・・アダプタ取付部、２５・・丸孔、２６・・取付孔、２７・・小孔。
【図１】
0004723598.tif 000002
【図２】
0004723598.tif 000003
【図３】
0004723598.tif 000004
【図４】
0004723598.tif 000005